(57)【要約】本発明は、空気流入遮断が可能なチューブ容器に関するもので、本発明による空気流入遮断が可能なチューブ容器は、排出部の内側に内容物の圧力によって上昇し、開放されるノズルを設置して、内容物の排出時にのみノズルが開放されるようにすることで、キャップが開放された状態でも内容物が排出されない限り、ノズルの排出ホールが閉鎖状態を維持することとなり、排出ホールを通じてチューブ本体の内部へ空気が流入することを遮断して内容物の変質を防止できることが特徴である。【選択図】図３
2015516339.tif 000002
【特許請求の範囲】
【請求項１】
内容物が収容され、その上部に内容物が排出されるように排出部が形成されるチューブ本体と；
前記排出部の内側に挿入され、排出部と連通される内容物流入ホールが形成される結合部と、前記結合部の中央部から上方向へ突出形成される遮断棒を含む内ノズルと；
前記遮断棒を覆って結合部の上端に安着されて、内容物の圧力によって昇下降され、前記遮断棒によって開閉される外ノズルと；
前記の外ノズルの一部を覆って排出部の内側に結合され、前記外ノズルの昇下降が可能なように中空が形成される固定体と；
前記固定体の内側から前記外ノズルを覆って位置し、外ノズルを下降させる弾性体と；および
前記内ノズルおよび外ノズルを覆って排出部の外側に結合される仕上げキャップと；を含むことを特徴とする空気流入遮断が可能なチューブ容器。
【請求項２】
前記外ノズルは、外周面の上端部と下端部が前記固定体の内側壁面に当接するピストン構造で形成される円筒形の安着部と、前記安着部から上方向へ延長されて内容物が移動する通路を形成し、その終端に前記遮断棒によって開閉される排出ホールが形成される内容物移動管で構成されることを特徴とする請求項１に記載の空気流入遮断が可能なチューブ容器。
【請求項３】
前記固定体には固定体の外周面を取り巻いて前記排出部の上端に安着される係止部が形成され、前記係止部の下部には、前記排出部の内側に固定されるように固定突起が形成されることを特徴とする請求項１に記載の空気流入遮断が可能なチューブ容器。
【請求項４】
前記固定体の上端には、前記弾性体を支持するように内周面を取り巻いて弾性体支持部が形成されることを特徴とする請求項１に記載の空気流入遮断が可能なチューブ容器。
【請求項５】
前記内ノズルの下端には、排出部を通じて移動する内容物が内ノズルの外部へ漏出することを遮断する遮断突起が形成されることを特徴とする請求項１に記載の空気流入遮断が可能なチューブ容器。
【請求項６】
前記仕上げキャップの内側上部には、前記外ノズルを加圧する加圧突起が形成されることを特徴とする請求項１に記載の空気流入遮断が可能なチューブ容器。
【請求項７】
前記仕上げキャップの内側には、前記排出部とねじ結合時に前記固定体の係止部に安着され、ねじ結合を制限する結合制限突起が形成されることを特徴とする請求項３に記載の空気流入遮断が可能なチューブ容器。
【発明の詳細な説明】
【技術分野】
【０００１】
本発明は、空気流入遮断が可能なチューブ容器に関するもので、より詳細には、排出部の内側に内容物の圧力によって上昇し、開放されるノズルを設置して、内容物の排出時にのみノズルが開放されるようにすることで、キャップが開放された状態でも内容物が排出されない限り、ノズルの排出ホールが閉鎖状態を維持するため、排出ホールを通じてチューブ本体の内部へ空気が流入することを遮断して、内容物の変質を防止できる空気流入遮断が可能なチューブ容器に関するものである。
【背景技術】
【０００２】
一般的に、チューブ容器は、内容物が収容されるチューブ本体と、前記チューブ本体の上部に結合されてチューブ本体を支持し、チューブ本体に収容された内容物が排出されるように排出ホールが形成されるチューブネックと、前記チューブネックから脱離可能なように結合され、排出ホールを開閉するキャップで構成される。
【０００３】
前記のようなチューブ容器は、キャップを開放して、チューブ本体からキャップを脱離した後、チューブ本体を加圧して排出ホールを通じて、内容物を排出して使用することになり、キャップが開放された状態では、排出ホールが常に外部へ露出される構造なので、排出ホールを通じてチューブ本体の内部へ空気が流入されて、内容物が変質される問題点があった。
【０００４】
また、チューブ本体を加圧して、患部に直接内容物を塗布時に傷口部位の汚染物質が排出される内容物と混合が行われることとなり、内容物の塗布を完了した後、チューブ本体の加圧を解除する場合、チューブ本体の内圧によって内容物が吸入される現象が発生して、内容物と混合された汚染物質が排出ホール内壁に固着したり、チューブ本体の内部に流入されることで、内容物の変質が発生することとなる問題点があった。
【発明の開示】
【発明が解決しようとする課題】
【０００５】
本発明は、上述した問題点を解決するために案出されたもので、本発明の目的は、排出部の内側に内容物の圧力によって上昇し、開放されるノズルを設置して、内容物の排出時にのみノズルが開放されるようにすることで、キャップが開放された状態でも内容物が排出されない限り、ノズルの排出ホールが閉鎖状態を維持するため、排出ホールを通じてチューブ本体の内部へ空気が流入することを遮断して、内容物の変質を防止できる空気流入遮断が可能なチューブ容器を提供することである。
【０００６】
また、外ノズルが上昇してから下降する動作によって、排出ホールに残留する内容物が外部へ排出され、内容物が再吸入されることを遮断することで、患部に直接内容物を塗布することによって、汚染される内容物がノズル内に固着したり、チューブ本体の内部へ流入されることを遮断することが可能になり、内容物の変質を防止できる空気流入遮断が可能なチューブ容器を提供することである。
【課題を解決するための手段】
【０００７】
前記のような問題点を解決するために、本発明による空気流入遮断が可能なチューブ容器は、内容物が収容され、その上部に内容物が排出されるように排出部が形成されるチューブ本体と；前記排出部の内側に挿入され、排出部と連通される内容物流入ホールが形成される結合部と、前記結合部の中央部から上方向へ突出形成される遮断棒を含む内ノズルと；前記遮断棒を覆って、結合部の上端に安着されて内容物の圧力によって昇下降され、前記遮断棒によって開閉される外ノズルと；前記外ノズルの一部を覆って排出部の内側に結合され、前記外ノズルの昇下降が可能なように中空が形成される固定体と；前記固定体の内側から前記外ノズルを覆って位置し、外ノズルを下降させる弾性体と；および前記内ノズルおよび外ノズルを覆って、排出部の外側に結合される仕上げキャップと；を含むことを特徴とする。
【０００８】
また、前記外ノズルは、先端部と終端部が前記固定体の内側壁面に当接するピストン構造で形成される円筒形の安着部と、前記安着部から上方向へ延長されて内容物が移動する通路を形成し、その終端に前記遮断棒によって開閉される排出ホールが形成される内容物移動管で構成されることを特徴とする。
【０００９】
また、前記固定体には固定体の外周面を取り巻いて前記排出部の上端に安着される係止部が形成され、前記係止部の下部には、前記排出部の内側に固定されるように固定突起が形成されることを特徴とする。
【００１０】
また、前記固定体の上端には、前記弾性体を支持するように内周面を取り巻いて弾性体支持部が形成されることを特徴とする。
【００１１】
また、前記内ノズルの下端には、排出部を通じて移動する内容物が内ノズルの外部へ漏出されることを遮断する遮断突起が形成されることを特徴とする。
【００１２】
また、前記仕上げキャップの内側上部には、前記外ノズルを加圧する加圧突起が形成されることを特徴とする。
【００１３】
また、前記仕上げキャップの内側には、前記排出部とねじ結合時に前記固定体の係止部に安着され、ねじ結合を制限する結合制限突起が形成されることを特徴とする。
【発明の効果】
【００１４】
以上、上述したように、本発明によると、排出部の内側に内容物の圧力によって上昇し、開放されるノズルを設置して、内容物の排出時にのみノズルが開放されるようにすることで、キャップが開放された状態でも内容物が排出されない限り、ノズルの排出ホールが閉鎖状態を維持するため、排出ホールを通じてチューブ本体の内部へ空気が流入されることを遮断して内容物の変質を防止できる長所がある。
【００１５】
また、外ノズルが上昇してから下降する動作により、排出ホールに残留する内容物が外部に排出され、内容物が再吸入されることを防止することで、患部に直接内容物を塗布することによって、汚染される内容物がノズル内に固着したりチューブ本体の内部へ流入されることを遮断することが可能になり、内容物の変質を防止できる長所がある。
【図面の簡単な説明】
【００１６】
【図１】本発明の好ましい実施例による空気流入遮断が可能なチューブ容器の構成を示す結合斜視図。
【図２】本発明の好ましい実施例による空気流入遮断が可能なチューブ容器の構成を示す分解斜視図。
【図３】本発明の好ましい実施例による空気流入遮断が可能なチューブ容器の構成を示す断面図。
【図４】本発明の好ましい実施例による空気流入遮断が可能なチューブ容器の作動状態を示す状態図。
【発明を実施するための形態】
【００１７】
以下、図面を参照して本発明を詳細に説明する。各図面に提示された同一な参照符号は同一な部材を示す。
【００１８】
図１は、本発明の好ましい実施例による空気流入遮断が可能なチューブ容器の構成を示す結合斜視図であり、図２は、本発明の好ましい実施例による空気流入遮断が可能なチューブ容器の構成を示す分解斜視図である。
【００１９】
図３は、本発明の好ましい実施例による空気流入遮断が可能なチューブ容器の構成を示す断面図であり、図４は、本発明の好ましい実施例による空気流入遮断が可能なチューブ容器の作動状態を示す状態図である。
【００２０】
図１ないし４を参照すると、本発明の好ましい実施例による空気流入遮断が可能なチューブ容器は、チューブ本体（１００）、内ノズル（２００）、外ノズル（３００）、固定体（４００）、弾性体（５００）、仕上げキャップ（６００）が含まれる。
【００２１】
前記チューブ本体（１００）は、内容物が収容され、その上部に内容物が排出可能なように排出部（１１０）が結合されるもので、排出部（１１０）の外周面には、後述する仕上げキャップ（６００）とのねじ結合が可能なように、第１ネジ山（１１１）が形成される。
【００２２】
前記内ノズル（２００）は、前記排出部（１１０）の内側に挿入され、排出部（１１０）を通じて移動する内容物の移動を案内し、後述する外ノズル（３００）を開閉するもので、結合部（２１０）、遮断棒（２２０）を含む。
【００２３】
前記結合部（２１０）は、前記排出部（１１０）の内側に挿入され、排出部（１１０）を通じて移動する内容物の移動を案内するもので、前記排出部（１１０）を通じて排出される内容物の流入が可能なように、その上部に排出部（１１０）と連通される内容物流入ホール（２１１）が形成される。前記内容物流入ホール（２１１）は、結合部（２１０）の内周面から中央部へ延長形成される多数の延長部（２１２）によって一定間隔離隔され、多数個が形成される。
【００２４】
一方、前記結合部（２１０）の外周面には、後述する固定体（４００）の結合溝（４５０）に結合されるように結合突起（２１３）が形成されることが好ましい。
【００２５】
また、結合部（２１０）の下端には、排出部（１１０）を通じて移動する内容物が内ノズル（２００）の外部へ漏出されることを遮断するように排出部（１１０）の内側下端に当接する遮断突起（２１４）が形成されることが好ましい。
【００２６】
前記遮断棒（２２０）は、前記多数の延長部（２１２）が当接する結合部（２１０）の中央部から上方向へ突出形成されるもので、外ノズル（３００）の昇下降移動によって外ノズル（３００）の排出ホール（３２１）を開閉することとなる。
【００２７】
前記遮断棒（２２０）の終端部には、遮断棒（２２０）と外ノズル（３００）の排出ホール（３２１）が形成する空間に内容物が固着されることを防止するように外ノズル（３００）の外部へ突出される突出部（２２１）が形成されることが好ましい。
【００２８】
前記遮断棒（２２０）は、前記突出部（２２１）が形成されることで、外部からノズルの動きによるノズル開閉を容易に識別することが可能である。
【００２９】
前記外ノズル（３００）は、前記遮断棒（２２０）を覆って、結合部（２１０）の上端に安着されて、内容物の圧力によって昇下降され、前記遮断棒によって開閉されるもので、定着部（３１０）、内容物移動管（３２０）を含む。
【００３０】
前記安着部（３１０）は、前記内ノズル（２００）の結合部（２１０）の上端に安着されて、後述する弾性体（５００）を支持するもので、内容物移動管（３２０）を覆う弾性体（５００）の下端を支持して、内容物の排出による外ノズル（３００）の上昇時には、弾性体（５００）を加圧して弾性体（５００）の収縮が行われるようにして、内容物の排出が終了すると、弾性体（５００）の弾性力によって外ノズル（３００）を下降させることとなる。
【００３１】
本発明において、前記安着部（３１０）は円筒形で形成され、外周面の上端部と下端部が前記固定体（４００）の内側壁面に当接するピストン構造で形成されることが特徴で、これにより、外ノズル（３００）の昇下降時に揺れを防止して、内容物が一定に排出されることを可能にするだけでなく、固定体（４００）の内壁に沿って内容物が漏れることを遮断できるようになる。
【００３２】
前記の内容移動管（３２０）は、前記安着部（３１０）から上方向へ延長されて前記内ノズル（２００）の内容物流入ホール（２１１）を通じて流入された内容物の移動が可能なように通路を形成するもので、流入された内容物が外部へ排出されることが可能なように、その終端に前記遮断棒（２２０）によって開閉される排出ホール（３２１）が形成される。
【００３３】
前記固定体（４００）は、前記外ノズル（３００）の一部を覆って、排出部（１１０）の内側に結合される円筒形状で構成されるもので、内容物の排出可否によって、移動する外ノズル（３００）の昇下降が可能なように中空（４１０）が形成されて、前記排出部（１１０）の上端に安着されるように外周面を取り巻いて係止部（４２０）が形成される。
【００３４】
本発明において、前記係止部（４２０）の下部には、前記排出部（１１０）の固定溝（１１２）に固定されるように固定突起（４３０）が形成されることが特徴で、前記内ノズル（２００）、外ノズル（３００）、固定体（４００）および弾性体（５００）を一体にモジュール化した後、前記固定突起（４３０）を通じて排出部（１１０）に形成された固定溝（１１２）に結合することで、チューブ容器に簡単にノズルの設置が可能となり、仕上げキャップ（６００）が開放された状態でチューブ本体（１００）の内部へ空気が流入することを遮断できるようになる。
【００３５】
一方、前記固定体（４００）の上端には、後述する弾性体（５００）を支持することができるように、上端部が内側方向に折り曲げられて内周面を取り巻く弾性体支持部（４４０）が形成されることが特徴で、前記弾性体支持部（４４０）は、外ノズル（３００）の上昇移動時に弾性体（５００）の上端を支持して弾性体（５００）の収縮を可能にする。
【００３６】
また、前記固定体（４００）の内側には、前記内ノズル（２００）との結合が可能なように前記結合突起（２１０）に対応される結合溝（４５０）が形成されることが好ましい。
【００３７】
前記弾性体（５００）は、前記固定体（４００）の内側で前記外ノズル（３００）を覆って位置し、外ノズル（３００）を下降させることで、一側は外ノズル（３００）の安着部（３１０）に安着され、他側は前記固定体（４００）の弾性体支持部（４４０）に当接すうように構成される。
【００３８】
前記弾性体（５００）は、チューブ本体（１００）の加圧時に内容物の圧力によって上昇する外ノズル（３００）の移動によって収縮してから、チューブ本体（１００）の加圧が解除されると弛緩され、外ノズル（３００）の安着部（３１０）に弾性力を提供して、外ノズル（３００）を下降させることとなる。
【００３９】
前記仕上げキャップ（６００）は、前記内ノズル（２００）および外ノズル（３００）を覆って排出部（１１０）の外側にねじ結合されるもので、排出部（１１０）とのネジ結合が可能なように内周面に第１ねじ山（１１１）とねじ結合される第２ネジ山（６４０）が形成される。
【００４０】
本発明において、前記仕上げキャップ（６００）の内側上部には、前記外ノズル（３００）を加圧する加圧突起（６１０）が形成されることが特徴で、前記加圧突起（６１０）は、前記外ノズル（３００）の上端を加圧して、外ノズル（３００）が上昇することを制限することにより、仕上げキャップ（６００）が閉じている状態で、チューブ本体（１００）が加圧されても内容物が排出されることを遮断することとなる。これにより、内容物が不必要に消耗されることを防止できるだけでなく、内容物の流出による仕上げキャップ（６００）の内部が汚染されることを防止できるようになる。
【００４１】
一方、前記仕上げキャップ（６００）の内側には、排出部（１１０）とねじ結合時に前記固定体（４００）の係止部（４２０）に安着され、ねじ結合を制限する結合制限突起（６２０）が形成されることが特徴で、仕上げキャップ（６００）を無理に回転させて排出部（１１０）に結合する場合、前記加圧突起（６１０）の加圧によって外ノズル（３００）があまり内側に入って、内ノズル（２００）に挟まれる現象などの問題が発生することとなり、前記仕上げキャップ（６００）の内側に具備される結合制限突起（６２０）が係止部（４２０）と当接して仕上げキャップ（６００）のネジ結合を制限することで、ノズルの誤作動を防止できるようになる。
【００４２】
一方、前記仕上げキャップ（６００）の外周面には、排出部（１１０）とのねじ結合および解体を容易にするよう、滑り防止突起（６３０）が形成されることが好ましい。
【００４３】
以下では、図４を参照して、本発明の好ましい実施例による空気流入遮断が可能なチューブ容器の作動過程を説明することにする。
【００４４】
図４は、本発明の好ましい実施例による空気流入遮断が可能なチューブ容器の作動状態を示す状態図である。図４を参照すると、本発明の好ましい実施例による空気流入遮断が可能なチューブ容器は、最初、外ノズル（３００）の排出ホール（３２１）が、内ノズル（２００）の遮断棒（２２０）によって閉鎖された状態でチューブ本体（１００）を加圧するようになると、内容物が排出部（１１０）を通じて上方向へ移動することとなり、排出部（１１０）を通じて移動する内容物が内容物流入ホール（２１１）を通じて外ノズル（３００）の内容物移動管（３２０）に流入される。
【００４５】
前記のように、内容物移動管（３２０）に内容物が流入する過程で、移動する内容物によって外ノズル（３００）に圧力が加えられることとなり、内容物の圧力によって外ノズル（３００）が上昇することとなる。外ノズル（３００）が上昇すると、内ノズル（２００）の遮断棒（２２０）によって閉鎖されていた排出ホール（３２１）の開放が行われ、これにより、排出ホール（３２１）を通じて外部へ内容物の排出が行われることとなる。
【００４６】
一方、ユーザーがチューブ本体（１００）の加圧を解除させると、内容物の移動が停止され、このとき、前記外ノズル（３００）の上昇移動によって収縮された弾性体（５００）が弛緩されて、外ノズル（３００）に弾性力を提供するようになり、外ノズル（３００）を下降させることとなる。外ノズル（３００）が下降すると、前記内ノズル（２００）の遮断棒（２２０）によって排出ホール（３２１）が閉鎖され、内容物が排出されることを遮断することとなる。
【００４７】
図面と明細書で最適の実施例が開示された。ここで特定の用語らが用いられたが、これは単に本発明を説明するための目的で用いられたものであり、意味の限定や特許請求の範囲に記載された本発明の範囲を制限するために用いられたのではない。従って、当該技術分野の通常の知識を有する者であれば、多様な変形及び均等な他の実施例が可能であることを理解すべきである。したがって、本発明の真の技術的保護範囲は、添付された特許請求の範囲の技術的思想によって定められるべきである。
【図１】
2015516339.tif 000003
【図２】
2015516339.tif 000004
【図３】
2015516339.tif 000005
【図４】
2015516339.tif 000006
【国際調査報告】
2015516339.tif 000007
2015516339.tif 000008
2015516339.tif 000009
2015516339.tif 000010